(57)【要約】【課題】雨量に応じて雨水をオーバーフローさせることができる軒樋集水器及び軒樋集水装置を提供する。【解決手段】軒樋５の下流側において軒樋５内の雨水を集水する枡部３０と、枡部３０の内部と連通するとともに竪樋６に接続されて前記雨水を枡部３０から竪樋６に流下させる接続部３１とを備え、枡部３０は、枡部３０の上部に溢流部Ｆを備えるとともに溢流部Ｆの下方に貯留部Ｐを有し、溢流部Ｆには、その上端から下端に向かって連続的又は間欠的に形成されたオーバーフロー孔３５が形成されていることを特徴とする。【選択図】図２
2015101925.tif 000002
【特許請求の範囲】
【請求項１】
軒樋の下流側において前記軒樋内の雨水を集水する枡部と、この枡部の内部と連通するとともに竪樋に接続されて前記雨水を前記枡部から前記竪樋に流下させる接続部とを備え、
前記枡部は、この枡部の上部に溢流部を備えるとともに前記溢流部の下方に貯留部を有し、
前記溢流部には、その上端から下端に向かって連続的又は間欠的に形成されたオーバーフロー孔が形成されていることを特徴とする軒樋集水器。
【請求項２】
前記貯留部の外周面には、下方に向かってに延びる凹溝が形成されていることを特徴とする請求項１に記載の軒樋集水器。
【請求項３】
軒天井を上下方向から挟持してこの軒天井に固定される軒天リングと、請求項１又は２に記載の軒樋集水器と、を備え、
前記軒樋集水器及び前記軒天リングの何れか一方に係止部が形成され、同他方に前記係止部を係止させる被係止部が形成され、
前記軒樋集水器が前記軒天井に固定されていることを特徴とする軒樋集水装置。
【請求項４】
前記軒樋には、塵避け部と落し口とを備えたドレンが固定され、このドレンの周囲に前記軒樋集水器が設置されていることを特徴とする請求項３に記載の軒樋集水装置。
【請求項５】
前記軒天リングは、前記枡部の内側に挿入されるとともに前記ドレンの落し口を囲繞する筒状のスカート部を有していることを特徴とする請求項４に記載の軒樋集水装置。
【発明の詳細な説明】
【技術分野】
【０００１】
本発明は、軒樋集水器及び軒樋集水装置に関する。
【背景技術】
【０００２】
従来より、雨樋構造において軒樋と竪樋との間には枡部を備えた軒樋集水器が設置され、軒樋内を流動する雨水を前記枡部内に集水して竪樋に流下させ得るようになっている。この軒樋集水器には、竪樋との連通孔に枯葉等が詰まって竪樋に流下させ得る水量が低下したり豪雨時に軒樋集水器内に集水される水量が増加したりして、軒樋集水器内が満水になる場合に備えて、枡部にオーバーフロー孔が形成されていることがある（例えば、特許文献１参照）。
【先行技術文献】
【特許文献】
【０００３】
【特許文献１】特開２０００−２８２６３４号公報
【発明の概要】
【発明が解決しようとする課題】
【０００４】
しかし、従来の枡部に形成されたオーバーフロー用の孔部は、略正円形で枡部の上下方向の上端部のみに限定的に設けられたものであったため、オーバーフロー用の孔部から溢流させることができる雨水は一定量に限定されていた。従って、豪雨時等に軒樋を流動する雨水が前記一定量を超えて増加する場合に対応しきれず、軒樋から雨水を溢れさせてしまうという問題があった。また、屋根一面に太陽電池パネルを敷き詰めた片流れ屋根の下端側に取り付けた軒樋の一箇所からの竪樋を通じて雨水を排水するような仕様のときも同様の問題が懸念された。
そこで本発明は、雨量に応じて雨水をオーバーフローさせることができる軒樋集水器及び軒樋集水装置を提供することを課題とする。
【課題を解決するための手段】
【０００５】
本発明の軒樋集水器は、軒樋の下流側において前記軒樋内の雨水を集水する枡部と、この枡部の内部と連通するとともに竪樋に接続されて前記雨水を前記枡部から前記竪樋に流下させる接続部とを備え、前記枡部は、この枡部の上部に溢流部を備えるとともに前記溢流部の下方に貯留部を有し、前記溢流部には、その上端から下端に向かって連続的又は間欠的に形成されたオーバーフロー孔が形成されていることを特徴とする。
この態様によれば、オーバーフロー孔が溢流部の上端から下端に向かって連続的又は間欠的に形成されており、枡部内の水位が高くなるほどオーバーフロー孔から雨水を溢流させることのできる開口部が増加する構成となっているため、雨水の量に応じてオーバーフロー孔から溢流させる水量を増加させることができる。
【０００６】
本発明の軒樋集水器の前記貯留部の外周面には、下方に向かってに延びる凹溝が形成されていることが好ましい。
この構成によれば、オーバーフロー孔から溢流させた雨水を凹溝内に導いて下方に導くことができる。
【０００７】
本発明の軒樋集水装置は、軒天井を上下方向から挟持してこの軒天井に固定される軒天リングと請求項１又は２に記載の軒樋集水器とを備え、前記軒樋集水器及び前記軒天リングの何れか一方に係止部が形成され、同他方に前記係止部を係止させる被係止部が形成され、前記軒樋集水器が前記軒天井に固定されていることを特徴とする。
この構成によれば、軒樋集水器を軒天井に設置することができる。
【０００８】
本発明は、前記軒樋に、塵避け部と落し口とを備えたドレンが固定され、このドレンの周囲に前記軒樋集水器が設置されていてもよい。
この構成によれば、軒樋集水器内に塵が堆積することを防止しつつ軒樋のドレンから軒樋集水器に効率的に雨水を流下させることができる。
【０００９】
本発明は、前記軒天リングは、前記枡部の内側に挿入されるとともに前記ドレンの落し口を囲繞する筒状のスカート部を有していることが好ましい。
この構成によれば、落し口をスカート部内に挿入させて目隠しすることができる。
【発明の効果】
【００１０】
本発明の軒樋集水器及び軒樋集水装置によれば、オーバーフローさせる雨水の量を降雨量に応じて変更することができるため、軒樋から雨水を溢水させることを抑制することができるとともに、軒樋を軒天井と屋根パネル内に内蔵して配置したような家屋の場合に、軒樋から溢流する雨水による軒天井、家屋居室の天井内への雨水の侵入を防止するという効果を奏する。
【図面の簡単な説明】
【００１１】
【図１】本発明の一実施形態に係る軒樋集水装置を有した雨樋構造を示した一部断面図である。
【図２】本発明の一実施形態に係る軒樋集水装置を有した雨樋構造を示す半部断面図である。
【図３】本発明の一実施形態に係る軒樋集水装置の軒天リングを示した半部断面図である。
【図４】本発明の一実施形態に係る軒樋集水装置の軒天リングを示した斜視図である。
【図５】本発明の一実施形態に係る軒樋集水器の枡部を示した斜視図である。
【図６】本発明の一実施形態に係る軒樋集水器を示した分解斜視図である。
【図７】本発明の一実施形態に係る軒樋集水器の変形例を示した分解斜視図である。
【発明を実施するための形態】
【００１２】
以下、本発明の実施の形態による軒樋集水器及び軒樋集水装置について、図面に基づいて説明する。
図１に示すように、本実施形態の軒樋集水装置１０を有した雨樋構造１は、屋根２に降った雨水を流水部３の開口端４から収集する軒樋５と、軒樋５と竪樋６との間に設置され、軒樋５の雨水を一時的に貯留しつつ竪樋６に順次流下させる軒樋集水装置１０と、竪樋６とを備えている。
【００１３】
屋根２には、流水部３が設けられている。流水部３は勾配を以って屋根２に設けられており、雨水が流水部３から軒樋５内へ流下するようになっている。
軒樋５は、軒先Ｔの延在方向に一定の水勾配を取って配置される長尺の部材であり、側面視が略Ｕ字状で上方に向かってわずかに拡開するように開口されている。本実施形態において軒樋５は、屋根２の下方に設置されている。
【００１４】
図２に示すように、軒樋５の下流側の底板５ａには、雨水を流下させる開口部５ｈが形成されている。
軒樋５の底板５ａには、ドレン７が固定されている。ドレン７は、底板５ａの開口部５ｈを覆うように立設され柵状の部材を備えた塵避け部７Ａと、開口部５ｈに挿通させて軒樋５の下方に突出させる落し口７Ｂとを備えている。
【００１５】
塵避け部７Ａと落し口７Ｂとの間には、環状に連続するフランジ７Ｃが設けられている。ドレン７は、フランジ７Ｃを軒樋５の底板５ａに係止させるとともに、落し口７Ｂを底板５ａの開口部５ｈ及び軒天井８に形成された貫通孔８ｈを挿通させることにより軒樋５に取り付けられている。
図１に示すように、軒先Ｔには、屋根２の先端から軒天井８に跨って設置されるパラペット９が取り付けられている。
【００１６】
軒天井８は、軒先Ｔの下方に設置される長尺な板状の部材であり、建物の外壁Ｗとパラペット９との間に亘って、軒樋５の延在方向と同方向に延在するように設置されている。
図２に示すように、軒天井８には、底板５ａに形成された開口部５ｈと連通する貫通孔８ｈが形成され、軒天リング１１の一部及びドレン７の落し口７Ｂを挿通可能になっている。
竪樋６は筒状に形成された管体であり、軸線Ｌを鉛直方向に向け、軒樋集水装置１０を介して軒樋５の開口部５ｈの下方に設置されている。
【００１７】
軒樋集水装置１０は、軒樋５の下流側端部又は軒天井８に固定されるものである。本実施形態において軒樋集水装置１０は、軒天リング１１及び軒樋集水器２０を備え、軒樋５の開口部５ｈの下方に位置するように軒天井８に固定されている。
軒天リング１１は、軒天井８の上面８ｓから設置される上側リング１２と、軒天井８の下面８ｔから設置されて上側リング１２と螺合される下側リング１３とを備えている。
【００１８】
図３に示すように、上側リング１２は、短尺な筒状に形成されて外周面に下側リング１３と螺合させる雄ネジ部１４ａが形成された環状部１４と、環状部１４の上端から径方向に張り出したフランジ部１５と、環状部１４の内側に筒状に設けられたスカート部１６とを備えている。
図２に示すように、環状部１４は、軒天井８の貫通孔８ｈに挿入されるとともに軒天井８の下面８ｔからその一部を突出させ、軒天井８を挟んで下側リング１３と螺合できるように形成されたものである。環状部１４は外径が軒天井８の貫通孔８ｈの径よりも僅かに小径に形成され、貫通孔８ｈの内周面に略沿って挿入されるようになっている。
【００１９】
フランジ部１５は、軒天井８の貫通孔８ｈの径よりも大径に形成され、図３に示す環状部１４の上端１４ｔから環状部１４の径方向に張り出して軒天井８の上面８ｓに係止できるようになっている。
スカート部１６は、図３に示すようにフランジ部１５の内周縁１５ｙから下方に円筒状に延びるように形成され、図２に示すドレン７の落し口７Ｂを囲繞して目隠しするものであり、後述する軒樋集水器２０の枡部３０の貯留部Ｐにその先端が突設されている。スカート部１６は水平方向に対する傾斜角度が小さいテーパー形状に形成された後、僅かに縮径しつつ垂下する筒状に形成されている。
【００２０】
図４に示すように、下側リング１３は、内径が図３に示す上側リング１２の環状部１４の外径よりも僅かに大径に形成されたリング部材であり、上側リング１２の雄ネジ部１４ａに螺合可能となっているとともに、下端部１３ｂに図２に示す軒樋集水器２０を係止できるようになっている。
【００２１】
下側リング１３の内周面１８には、図３に示す上側リング１２の雄ネジ部１４ａと螺合可能な雌ネジ部２１が周方向に等間隔に形成されている。雌ネジ部２１は、下側リング１３の下端部を残して内周面の略上側半分１３ａに形成されおり、内周面１８の下端部１３ｂ、すなわち雌ネジ部２１の下方に軒樋集水器２０の上端を挿入できるようになっている。
【００２２】
雌ネジ部２１同士の間には、枡ストッパ２２と、枡係止用凸部（被係止部）２３とが設けられている。
枡ストッパ２２は、軒樋集水器２０の上方への移動を規制するものであり、後述する張り出し部３７の厚さ寸法を隔てて雌ネジ部２１の下端よりも下方に位置するように形成されている。
【００２３】
枡係止用凸部２３は、内周面１８の略最下端に周方向に延びる突条２３ａと、突条２３ａの両端から上方に向かって延びる回転防止凸部２３ｂとを備えている。
下側リング１３の外周面１９の上端部には、外周面１９に沿って周方向に小さく張り出した張り出し壁２６が形成されているとともに、枡ストッパ２２が形成された周方向の位置に対応する外周面の位置に軸線Ｌ方向に平行に延びる突条２７が形成されている。また、突条２７，２７間の中央には、枡係止用凸部２３同士の間の中央を示す挿入位置マーク２８が設けられている。
【００２４】
図２に示すように、軒樋集水器２０は、雨水を内部空間に集水する枡部３０と、竪樋６の上端部に接続されて枡部３０内の雨水を竪樋６に流下させる接続部３１とを備えている。
図５に示すように、枡部３０は、円筒状に形成された側壁部３２と、側壁部３２内の略下半部に設けられ雨水を下方に向けて収束させる漏斗部３３とを有している。
【００２５】
側壁部３２の略上半部３２Ａには、その上端から下端に亘って鉛直方向に連続して開口された長孔形状のスリット（オーバーフロー孔）３５が周方向に間隔を空けて複数形成されている。
複数のスリット３５，３５・・は、全て同形状で側壁部３２の同じ高さ位置に形成されている。スリット３５の長手方向（すなわち鉛直方向）の寸法及び幅寸法ないし開口面積は、想定される最大雨量と溢流させる水量との関係で設定される。また、スリット３５の幅寸法は、例えば約１０ｍｍに設定され、小動物その他の異物の侵入を防止することも考慮して形成されている。
また、スリット３５同士の間隔、すなわち鉛直方向に延びてスリット３５を形成する棒状の壁部３６の幅寸法は、枡部３０の剛性を考慮して設定されている。
【００２６】
この構成の下に、図２，図５に示すように、スリット３５が形成された枡部３０の略上半部３２Ａは、雨水を溢流させる溢流部Ｆを構成している。
枡部３０の上端には、間隔を空けて張り出す張り出し部（係止部）３７が形成されている。
張り出し部３７は、図６に示すように枡係止用凸部２３に対応する配置間隔で、枡係止用凸部２３の周方向の長さ及び枡係止用凸部２３同士の間の周方向の長さよりも小寸法に形成されている。
【００２７】
図５に示すように、枡部３０の略下半部、すなわち溢流部Ｆの下方の側壁部３２及びその内部に設けられた漏斗部３３は、雨水を貯留して竪樋６に向けて導く貯留部Ｐを構成している。
漏斗部３３は、図２に示すように下方に向かって漸次縮径するテーパー形状に形成された側壁３３ａと底壁３３ｂとを有している。漏斗部３３は、底壁３３ｂが貯留部Ｐの下端近傍に位置するように設置されていれば溢流部Ｆの下方のどこに設置されるか限定されるものではないが、本実施形態では漏斗部３３の上端が溢流部Ｆの直下に位置するように配置されている。側壁部３２に対する漏斗部３３のテーパー形状の傾斜角度αは、４５度以下に設定するのが好ましい。
【００２８】
底壁３３ｂには、枡部３０の内部空間３８と竪樋６の内孔６ｈとを連通させる排水開口部３９が形成されており、この排水開口部３９を形成する底壁３３ｂの端縁から下方に突出する筒状の接続部３１が設けられている。接続部３１は、略楕円形に形成され、竪樋６（図１参照）の上端部に嵌入されるようになっている。
【００２９】
図５に示すように、側壁部３２の略下半部（すなわち貯留部Ｐ）の外周面には、スリット３５から溢流した雨水を下方に導く凹溝４０が形成されている。
凹溝４０は、スリット３５の下方の外周面をスリット３５の下端から凹ませ側壁部３２の下端まで貫通させることにより、棒状の壁部３６から連続して延在する凸条３６Ｘを形成して設けられている。
凹溝４０の幅寸法は、スリット３５の幅寸法と同寸法で形成されているとともに、スリット３５の空間と一部連通し下方に向けて側壁部３２を貫通している。
【００３０】
以上の構成の下に、図２，図６に示すように上側リング１２はそのフランジ部１５を軒天井８の上面８ｓに係止させるとともに環状部１４及びスカート部１６を開口部５ｈ及び貫通孔８ｈに挿通させて軒天井８に設置されている。そして、下側リング１３を上側リング１２に螺合して軒天リング１１が軒天井８に固定されているとともに、下側リング１３の枡係止用凸部２３に軒樋集水器２０の張り出し部３７が係止され、軒樋集水器２０が軒天リング１１を介して軒樋５の開口部５ｈ及び軒天井８の貫通孔８ｈが形成された軒天井８の下方に固定されている。
【００３１】
次に、軒樋集水装置１０の設置方法について説明する。
軒樋集水装置１０を軒天井８に設置するには、図２，図６に示すように、上側リング１２の環状部１４及びスカート部１６を軒樋５の開口部５ｈ及び軒天井８の貫通孔８ｈに挿通させてスカート部１６を落し口７Ｂに被せる。上側リング１２のフランジ部１５を軒天井８の上面８ｓに係止させた後、軒天井８に設置された上側リング１２の環状部１４に下側リング１３を軒天井８の下方から螺合させて緊締する。
【００３２】
その後、軒樋集水器２０の張り出し部３７の長手方向（周方向）の中央を下側リング内１３の挿入位置マーク２８に合わせ、軒樋集水器２０の張り出し部３７を下側リング１３の枡係止用凸部２３，２３間に挿入し、軒樋集水器２０を軸線Ｌを中心に回転させて張り出し部３７の長手方向の中心を突条２７に位置させ、軒樋集水器２０を下方に引いて張り出し部３７を枡係止用凸部２３に係止させる。この状態において、張り出し部３７の左右方向に回転防止凸部２３ｂが位置し、更に上方に枡ストッパ２２が位置するため、張り出し部３７が下側リング１３の枡係止用凸部２３内に固定され、軒樋集水装置１０の軒樋５下方への設置が完了する。その後、軒樋集水器２０の接続部３１に竪樋６を接続することで雨樋構造１の設置が完了する。
【００３３】
次に、軒樋集水器２０、軒樋集水装置１０及び雨樋構造１の作用及び機能について説明する。
図１に示すように、屋根２に降った雨水は、流水部３に集水され、流水部３の開口端４から軒樋５に流下する。軒樋５は、水勾配を取って流水部３の下方に設置されているため、軒樋５内の雨水は、下流に向けて流動し、下流側の底板５ａに形成された開口部５ｈからドレン７を介して軒樋集水器２０内に流下する。
【００３４】
その後、降雨量が少ない場合は、雨水は、図２に示すドレン７の落し口７Ｂの内壁面を伝って枡部３０の漏斗部３３内に滴下し、更に漏斗部３３の側壁３３ａ、底壁３３ｂ、接続部３１の内面を伝って竪樋６に流下する。
しかし、豪雨時や屋根２の構造上雨水が一気に流れ来る場合等、軒樋５内を流れる雨量が竪樋６の単位時間当たりの排水量を超えており、枡部３０内の水位が漸次上昇し溢流部Ｆに達した場合には、竪樋６へ流下されない雨水は、スリット３５から順次溢流する。そしてスリット３５から溢流した雨水は、スリット３５の下方に形成された凹溝４０にガイドされて鉛直下方に流下し、枡部３０の側壁部３２の下端から地面に滴下する。
【００３５】
また、竪樋６へ流下できない雨水の量が急激に増える場合には、溢水部Ｆ内においても漸次水位が高まるが、スリット３５が溢流部Ｆの上端から下端に向かって鉛直方向に連続して延びるように形成されているため、溢水部Ｆ内の水位が高まるに従ってスリット３５の開口面積が拡大することとなり、より大量の雨水が溢流する。
【００３６】
以上のように、軒樋集水器２０及び軒樋集水装置１０によれば、竪樋６へ流下し切れない雨水を枡部３０の貯留部Ｐに一時的に貯留することができるとともに、貯留部Ｐの水位を超えた雨水を溢流部Ｆに形成された複数の縦長のスリット３５から溢流させることができる。従って、竪樋６へ排水しきれない量の雨水が軒樋集水器２０内に流れ込んだ場合であっても、雨水を軒樋集水器２０から溢流させることができ、軒樋５のいたる所から溢水させることを防止することができるという効果が得られる。
【００３７】
また、スリット３５は鉛直方向に縦長に形成されているので、枡部３０の貯留部Ｐを超えて増水した場合であっても、溢流部Ｆ内の雨水の水位がスリット３５の上下の範囲内にある限り、スリット３５から溢流できる雨水の量を、貯留部Ｐを超えて増水する雨水の量に応じて増減させることができる。従って、軒樋集水器２０によれば、雨量に柔軟に適応して軒樋５から雨水が溢れるのをより効果的に抑制することができる。
【００３８】
さらに、縦長のスリット３５が複数設けられ、これらのスリット３５は溢流部Ｆに整列配置されているので、溢流する雨水が特定の場所に集中することを防止することができるという効果が得られる。
【００３９】
また、貯留部Ｐの側壁部３２の外周面には、スリット３５の下方において凹溝４０が形成されているので、スリット３５から溢流した雨水を、同じ流路すなわち凹溝４０内に通過させるようにできる。したがって側壁部３２の外周面を雨水によりまだらに汚すことなく、汚れやすい領域を凹溝４０内に留めることにより軒樋集水器２０の外観を向上させることができるという効果が得られる。なお、凹溝４０の延長上の枡部３０の下端には、水切りを突設してもよい。
【００４０】
また、上側リング１２のスカート部１６が、枡部３０の貯留部Ｐの上端に到達するように設置されているため、枡部３０及び上側リング１２の色彩を同一にすることによって、軒樋５に設置されたドレン７を目隠しするとともに、スリット３５を目立たなくすることができ、雨樋構造１の外観を向上させることができるという効果が得られる。
【００４１】
また、スカート部１６がドレン７の落し口７Ｂよりも下方に突出するとともに、枡部３０の貯留部Ｐの上端に略到達するように設置されているため、軒樋５から流下した雨水を拡散させることなく貯留部Ｐ内に確実に導き流下させることができる。従って、軒樋５から流下した雨水が貯留部Ｐに達する前に飛散して、スリット３５から直接排水されるのを防止することができるという効果が得られる。
【００４２】
次に、上記実施形態の変形例について図７を用いて説明する。本変形例の説明において、上記実施形態と同一の構成については同一の符号を付してその詳細な説明を省略する。
本変形例の軒樋集水器２０及び軒樋集水装置１０は、上側リング１２にスカート部１６が設けられていない点で上記実施形態の軒樋集水器２０及び軒樋集水装置１０と相違している。
このように、上側リング１２がスカート部１６を備えていない場合であっても、図１に示すドレン７の落し口７Ｂの目隠しができず、スリット３５が目立たなくすることができない点を除いて上記実施形態と同様の作用、機能及び効果を奏する。
【００４３】
なお、上記実施形態において、軒樋集水器２０は、軒天井８を介して軒樋５の下方に設置された構成としたが、軒樋集水器２０は、軒樋５の端部に直接接続されるものであってもよい。要するに、軒樋５から流れる雨水を貯留させる枡部３０において鉛直方向に長さを有するように形成されたスリット３５を有していれば、本願発明の有する作用及び効果を奏することができる。
【００４４】
また、スリット３５は、一定の幅寸法で形成された構成としたが、スリット３５の形状は、上方に向かうに従って漸次幅方向が小さくなっていたり、又は上方に向かうにしたがって漸次幅方向が大きくなっていたりしてもよく、又は、径方向若しくは周方向にスリットを断続的に形成して鉛直方向に複数段間欠的に形成したものであってもよい。要するに、溢流部Ｆにおいて雨水の水位が増した際に、雨水を溢流させるスリット３５の開口面積が溢流部Ｆの上方に向かうに従って拡大するように構成されていればよい。
また、スリット３５の下方に形成する凹溝４０は、棒状の壁部３６を径方向に突出させて形成されたものであってもよい。
以上、本発明の軒樋集水器２０及び軒樋集水装置１０の実施形態について説明したが、本発明は、上記実施形態で示した構成に限定されるものではなく、本発明の趣旨を逸脱しない範囲で変更することができる。
【符号の説明】
【００４５】
１    雨樋構造
２    屋根
５    軒樋
６    竪樋
１０  軒樋集水装置
１２  上側リング（軒天リング）
１３  下側リング（軒天リング）
１６  スカート部
２０  軒樋集水器
２３  枡係止用凸部（被係止部）
３０  枡部
３１  接続部
３５  スリット（オーバーフロー孔）
３７  張り出し部（係止部）
４０  凹溝
【図１】
2015101925.tif 000003
【図２】
2015101925.tif 000004
【図３】
2015101925.tif 000005
【図４】
2015101925.tif 000006
【図５】
2015101925.tif 000007
【図６】
2015101925.tif 000008
【図７】
2015101925.tif 000009